(57)【特許請求の範囲】
【請求項１】
電線に引っ掛けた状態にする引掛部と、該引掛部に対して接離することにより前記電線を当該引掛部の間で挟持あるいは解放する接離部と、該接離部の前記電線の延長方向に離隔する位置に取り付けられて一体に同一方向に移動するとともに該電線の延長方向に対して直交する姿勢の刃先が当該電線の被覆に切り込む第１、第２切断刃と、該接離部の前記第１、第２切断刃の間に取り付けられて一体に同一方向に移動するとともに前記電線の延長方向と平行な姿勢の刃先が当該電線の被覆に切り込む第３切断刃と、を具備して、前記引掛部と前記接離部の間の離隔間隔を調整して前記電線を互いの間に内装する状態にしたまま該電線の周囲を周回させることにより前記第１〜第３切断刃が該電線の被覆を周方向および平行に切り込んで該被覆を当該電線の導通線から剥ぎ取る電線被覆剥取器であって、
前記電線の被覆に刃先が切り込む切断位置と該被覆に刃先が届かない退避位置との間を往復移動自在に前記第１、第２切断刃を支持する支持構造と、前記切断位置と前記退避位置のそれぞれに前記第１、第２切断刃を位置決め保持する保持構造と、遠隔位置からの付勢力を受けて前記切断位置または前記退避位置に前記第１、第２切断刃を移動させる受圧構造と、を当該第１、第２切断刃毎に備えていて別個に機能させることができることを特徴とする電線被覆剥取器。
【請求項２】
前記支持構造は、前記切断位置と前記退避位置との間の前記第１、第２切断刃の移動経路を備えており、
該移動経路は、前記第１、第２切断刃が当該移動経路外にずれることを制限する構造に形成されているとともに、前記電線被覆の切断時の周回方向に対する後退位置に前記切断位置が配置されて該周回方向に対する進行方向に向かう方向に前記切断位置と前記退避位置との間の経路が連続していることを特徴とする請求項１に記載の電線被覆剥取器。
【発明の詳細な説明】
【技術分野】
【０００１】
本発明は、電線被覆剥取器に関し、詳しくは、電線の被覆の周方向への切断の要否をその電線に取り付けた状態で操作することができるものに関する。
【背景技術】
【０００２】
電線を分岐などさせるときに、絶縁性を確保しつつ遠隔位置から作業する間接活線工法を採用する場合には、その電線に電線被覆剥取器を引っ掛けた状態にして切断刃を被覆に切り込ませつつ周回させることにより、電線の導通線周りから被覆を剥ぎ取って露出させる作業が行われている。
【０００３】
この電線被覆剥取器は、ヤットコ（絶縁把持道具）で把持して遠隔位置の電線に引っ掛ける状態を維持しつつ、絶縁操作棒の先端に取り付けたフックを引っ掛けて回転操作することにより電線に取り付ける作業を行う必要があり、さらに、その絶縁操作棒先端のフックを引っ掛け用リングに引っ掛けつつ牽引することによりその電線周りに周回させるようになっている（例えば、特許文献１、２）。
【０００４】
このうちの特許文献１に記載の電線被覆剥取器では、フックを引っ掛ける位置を増やして周回作業をやり易く工夫することが提案されており、特許文献２に記載の電線被覆剥取器では、電線に容易に引っ掛けることを可能にするのと同時に不用意に外れてしまうことがないように引っ掛け箇所にカバーを取り付けることが提案されている。
【０００５】
また、この種の電線被覆剥取器は、電線の被覆を延長方向と平行方向に切り込んで剥ぎ取る主刃と共に、その主刃の幅の両側の被覆を周方向に切り込んで剥ぎ取りを補助する補助刃を備えており、被覆を剥ぎ取る幅によっては、補助刃が電線の導通線に傷をつけてしまわないように保護するガードが設けられている（例えば、特許文献３）。
【先行技術文献】
【特許文献】
【０００６】
【特許文献１】特開２０１０−  ２２１８２号公報
【特許文献２】特開２００９−２８４７２２号公報
【特許文献３】特開２０１０−１３０７６７号公報
【発明の概要】
【発明が解決しようとする課題】
【０００７】
しかしながら、このような電線被覆剥取器にあっては、特許文献３に記載のように、補助刃が機能しないようにガードを操作したとしても、その操作が不十分である場合や、その操作自体をしておくことを不注意で忘れてしまった場合には、電線に取り付けた状態から手元まで回収して確認・操作する必要がある。
【０００８】
この電線被覆剥取器の電線からの取外や取付は、絶縁把持道具のヤットコと共に絶縁操作棒を同時に操作することから、相当の腕力と共に熟練が必要であり、また、ヤットコは挟み込む形態で把持する道具であることから、気が緩んでずれるなどすると、外れてしまって落下させてしまう恐れがあり、できるだけその作業回数は少なくしたい。
【０００９】
そこで、本発明は、電線に取り付けた状態のまま補助刃の要否を操作できるようにして、作業負担を軽減することのできる電線被覆剥取器を提供することを目的としている。
【課題を解決するための手段】
【００１０】
上記課題を解決する電線被覆剥取器の発明の一態様は、電線に引っ掛けた状態にする引掛部と、該引掛部に対して接離することにより前記電線を当該引掛部の間で挟持あるいは解放する接離部と、該接離部の前記電線の延長方向に離隔する位置に取り付けられて一体に同一方向に移動するとともに該電線の延長方向に対して直交する姿勢の刃先が当該電線の被覆に切り込む第１、第２切断刃と、該接離部の前記第１、第２切断刃の間に取り付けられて一体に同一方向に移動するとともに前記電線の延長方向と平行な姿勢の刃先が当該電線の被覆に切り込む第３切断刃と、を具備して、前記引掛部と前記接離部の間の離隔間隔を調整して前記電線を互いの間に内装する状態にしたまま該電線の周囲を周回させることにより前記第１〜第３切断刃が該電線の被覆を周方向および平行に切り込んで該被覆を当該電線の導通線から剥ぎ取る電線被覆剥取器であって、前記電線の被覆に刃先が切り込む切断位置と該被覆に刃先が届かない退避位置との間を往復移動自在に前記第１、第２切断刃を支持する支持構造と、前記切断位置と前記退避位置のそれぞれに前記第１、第２切断刃を位置決め保持する保持構造と、遠隔位置からの付勢力を受けて前記切断位置または前記退避位置に前記第１、第２切断刃を移動させる受圧構造と、を当該第１、第２切断刃毎に備えていて別個に機能させることができることを特徴とするものである。
【００１１】
この発明の態様では、遠隔位置の電線に引掛部を引っ掛けつつ接離部との間で電線を挟持して内装する状態にし、その電線の周囲を周回させることにより第３切断刃（主刃）で電線の被覆を切断して導通線から剥ぎ取る際に、第１、第２切断刃（補助刃）毎の機能させる必要の有無に応じて、遠隔位置から受圧構造を操作して付勢することによりその第１、第２切断刃を切断位置と退避位置の一方に支持・移動させて位置決め保持することができる。
【発明の効果】
【００１２】
このように本発明の一態様によれば、電線に取り付けた状態のまま第１、第２切断刃を切断位置と退避位置に遠隔位置から操作することができ、操作が不十分かもしれないと思ったときなど確認が必要な場合や、その操作自体を忘れてしまった場合に加えて、連続して延在方向にずらして幅広の範囲の被覆を剥ぎ取る必要があって第１、第２切断刃の一方を機能させないようにする必要がある場合にも、手元に回収して確認・操作することなく、操作して作業を継続することができる。したがって、第１、第２切断刃のガードを操作するための作業を省略して作業負担を格段に軽減することができる。
【図面の簡単な説明】
【００１３】
【図１】本発明に係る電線被覆剥取器の第１実施形態を示す図であり、（ａ）はその全体構成を示す正面図、（ｂ）はその側面図である。
【図２】その機能を説明する図であり、（ａ）はその拡大正面図、（ｂ）はその拡大側面図である。
【図３】その要部構成を示す一部拡大側面図である。
【図４】その図３とは異なる要部構成を示す一部拡大側面図である。
【図５】その図３、図４とは異なる要部構成を示す一部拡大側面図である。
【図６】その図３〜図５とは異なる要部構成を示す一部拡大側面図である。
【図７】その図３〜図６とは異なる要部構成を示す一部拡大側面図である。
【図８】作業する際に利用するヤットコを示す平面図である。
【図９】作業する際に利用する絶縁操作棒を示す平面図である。
【図１０】作業する際に利用するフックを示す平面図である。
【図１１】作業する際に利用する先端工具を示す平面図である。
【発明を実施するための形態】
【００１４】
本発明の形態としては、上記の課題解決手段のように、電線に引っ掛けた状態にする引掛部と、該引掛部に対して接離することにより前記電線を当該引掛部の間で挟持あるいは解放する接離部と、該接離部の前記電線の延長方向に離隔する位置に取り付けられて一体に同一方向に移動するとともに該電線の延長方向に対して直交する姿勢の刃先が当該電線の被覆に切り込む第１、第２切断刃と、該接離部の前記第１、第２切断刃の間に取り付けられて一体に同一方向に移動するとともに前記電線の延長方向と平行な姿勢の刃先が当該電線の被覆に切り込む第３切断刃と、を具備して、前記引掛部と前記接離部の間の離隔間隔を調整して前記電線を互いの間に内装する状態にしたまま該電線の周囲を周回させることにより前記第１〜第３切断刃が該電線の被覆を周方向および平行に切り込んで該被覆を当該電線の導通線から剥ぎ取る電線被覆剥取器であって、前記電線の被覆に刃先が切り込む切断位置と該被覆に刃先が届かない退避位置との間を往復移動自在に前記第１、第２切断刃を支持する支持構造と、前記切断位置と前記退避位置のそれぞれに前記第１、第２切断刃を位置決め保持する保持構造と、遠隔位置からの付勢力を受けて前記切断位置または前記退避位置に前記第１、第２切断刃を移動させる受圧構造と、を当該第１、第２切断刃毎に備えていて別個に機能させることができることを基本構成とするのに加えて、次の構成を備えてもよい。
【００１５】
第１の態様としては、前記支持構造は、前記切断位置と前記退避位置との間の前記第１、第２切断刃の移動経路を備えており、該移動経路は、前記第１、第２切断刃が当該移動経路外にずれることを制限する構造に形成されているとともに、前記電線被覆の切断時の周回方向に対する後退位置に前記切断位置が配置されて該周回方向に対する進行方向に向かう方向に前記切断位置と前記退避位置との間の経路が連続しているようにしてもよい。
【００１６】
この態様では、切断位置に移動した第１、第２切断刃は、周回方向に回転して電線の被覆に切り込む際に、切断位置に向かう負荷が加えられつつその切断作業を行うことになり、後退位置から切断位置に向かう負荷のためにその切断位置から離脱してしまうことがない。したがって、信頼性高く、切断作業を完了することができる。
【００１７】
第２の態様としては、前記第１、第２切断刃は、前記切断位置と前記退避位置のいずれに位置するのかを表示する手段を備えるようにしてもよい。
【００１８】
この態様では、第１、第２切断刃が切断位置と退避位置のいずれに位置するのかを遠隔位置から確認することができ、無駄に操作することを回避することができる。
【００１９】
以下、図面を参照して、本発明の実施形態について詳細に説明する。図１〜図は本発明に係る電線被覆剥取器の一実施形態を示す図である。
【００２０】
図１において、電線被覆剥取器１０は、縦断面形状を縦長のコの字形状に形成されている本体部１２と、この本体部１２のコの字内に内装されて上下動する可動部１３と、この可動部１３を上下動させる調整機構１４と、を組み立てることにより構築されている。
【００２１】
本体部１２は、コの字形状の上部に位置する本体上部２１と、その下部に位置する本体下部２２と、これら本体上部２１と本体下部２２の一端側を連結するように側方に位置する本体側部２３と、を備えている。
【００２２】
この本体部１２の本体上部２１は、図２に示すように、本体側部２３側の下面で幅方向に延在する円弧溝２１ａが形成されている。これにより、本体部１２は、図８に示すヤットコ１００などにより把持して、電柱などに架線させている遠隔位置の電線を本体側部２３の反対側から本体上部２１の下方内に挿し込んで平行状態になるように位置させることにより、その本体上部２１の円弧溝２１ａ内にその電線の一部を収装する状態にして引っ掛けた状態にすることができる。すなわち、この本体上部２１が引掛部を構成している。
【００２３】
ここで、ヤットコ１００は、図８に示すように、対象物を掴む把持部１１０と、作業者が把持して支持する支持棒１３１と、伝達棒１３２を介して操作力を伝達することにより把持部１１０を操作するハンドル１２２と、を備えている。これにより、ヤットコ１００は、支持棒１３１に固設されている把持部１１０の不動部材１１１に対して、ハンドル１２２を操作することにより伝達棒１３２に連結されている可動部材１１２を回動軸１１３を中心に回動させることにより、把持部１１０の部材１１１、１１２の先端部１１１ａ、１１２ａの間で本体部１２などの対象物等を掴むことができる。なお、このヤットコ１００には、掴む側からの水分を滴下させる傘カバー１３４と、掴む側からの絶縁性を考慮して安全に作業を行い得る限界位置を示す傘カバー１３５とを備えて、概略全体をプラスチックやゴム材料などの絶縁材料で作製されることにより絶縁性が確保されている。
【００２４】
可動部１３は、本体部１２の本体上部２１と本体下部２２の間に位置して調整機構１４により上下動されるベース部材３１と、このベース部材３１の両側方に連設されている側面板３２により本体側部２３の背面側に位置するように支持されている背面バー３３と、を備えている。
【００２５】
また、調整機構１４は、可動部１３のベース部材３１の下面に回転自在に連結されて外周面側に雄ネジ山４１ａを刻設されている主軸４１と、本体下部２２の上下方向に貫通する不図示の貫通穴に隣接するように固設されてその貫通穴に挿通される主軸４１の雄ネジ山４１ａを螺合させる雌ネジリング４２と、主軸４１の下部に相対回転不能に連結されて図９に示す絶縁操作棒２００先端の図１０に示すフック２１０を差込・係合可能に円形穴４３ａの開口する縦ハンドル４３と、を備えている。
【００２６】
これにより、可動部１３は、調整機構１４の縦ハンドル４３の円形穴４３ａにフック２１０などを挿し込んで回転させることにより、あるいは、その縦ハンドル４３をヤットコ１００により掴んで回転させることにより、雌ネジリング４２に螺合する主軸４１を上下動させることができ、その主軸４１の上部に連設されているベース部材３１を背面バー３３により本体側部２３から離隔することを制限しつつ本体上部２１に接離させることができる。すなわち、この可動部１３が接離部を構成している。
【００２７】
ここで、フック２１０は、図１０に示すように、鉤の手部２１１および横棒部２１２を備えており、この鉤の手部２１１および横棒部２１２の基端部側には、図９に示す絶縁操作棒２００の先端部を差込可能に円筒形状に形成されているジョイント部２１５が連設されている。このフック２１０のジョイント部２１５は、円筒形状の対面する周面のそれぞれが概略Ｔ字形状に切り欠かれて開口することにより、後端面（絶縁操作棒２００）側から先端側に向う差込切欠部２１６と、この差込切欠部２１６の直交方向の両側に連続するように屈曲する係合切欠部２１７と、が一対形成されている。これに対して、絶縁操作棒２００は、円柱形状の先端部の互いに反対側となる側面に突起形状に一対立設されることによりフック２１０のジョイント部２１５の２箇所の切欠部２１６、２１７内に挿し込んで係合させることのできるピン２０１と、先端部の先端面に配設されて不図示の内蔵スプリングにより突出方向に付勢されている突起２０２と、先端部の側面に刻設されている不図示のネジ形状に螺合して進退可能なグリップ２０３と、滑り難い材質の取替え可能な滑り止が施されて作業員の把持する基端部側の把持部２０４と、を備えている。
【００２８】
この構成により、フック２１０は、ジョイント部２１５内に絶縁操作棒２００の先端部を差し込んで突起２０２を内蔵スプリングの弾性力に抗して沈ませつつ、ピン２０１の双方を切欠部２１６、２１７内に進入させて回転させた後に、その進入させる力を解放すると、突起２０２がスプリングの弾性力により突出してジョイント部２１５を押し出すことにより、その係合切欠部２１７から屈曲する係合溝２１７ａ内にピン２０１を離脱不能に係合させることができる。さらに、この絶縁操作棒２００は、グリップ２０３を回転させてジョイント部２１５側に寄せることによりピン２０１が係合溝２１７ａ内から離脱して回転しないようにロックすることができ、フック２１０が相対回転して外れてしまうことを信頼性高く防止して取り扱い易くすることができる。ここで、この絶縁操作棒２００でも、中間部分に傘カバー２０５、２０６が取り付けられているとともに、全体をプラスチックなどの絶縁材料で作製されることにより絶縁性が確保されており、先端側の傘カバー２０５がフック２１０側からの水分を滴下させるとともに、基端側の傘カバー２０６が安全に作業を行い得る限界位置を示して、作業する際の安全を確保している。
【００２９】
さらに、可動部１３は、図２に示すように、ベース部材３１の両側方に連設されている側面板３２の間の空間に、その側面板３２の双方の内面近傍まで延在して本体部１２の本体側部２３に対面する主刃３４がそのベース部材３１にネジ止めされており、その主刃３４の両端辺と側面板３２との間にはその側面板３２と平行な補助刃３５が後述する構造により位置決め固定されている。この主刃３４は、可動部１３が調整機構１４により本体部１２の本体上部２１に接近すると、その本体上部２１の円弧溝２１ａ内に収装されて位置決めされている電線の被覆の本体側部２３から離隔する側に平行に切れ込むように設置されている。また、補助刃３５は、後述する稼働位置Ｐ１（図３を参照）では、可動部１３が調整機構１４により本体部１２の本体上部２１に接近すると、その主刃３４の両側で、同時に、その電線の被覆に周方向（直交方向）に切り込むように設置されている。
【００３０】
また、この可動部１３の側面板３２は、本体部１２の本体上部２１の円弧溝２１ａの両側に対応する箇所の端辺３２ａが主刃３４と補助刃３５よりも高くなるように延長されており、その円弧溝２１ａに対応する位置が電線を収装可能な幅のＵ字形状に切り欠かれた収装溝３２ｂを形成する。これに対して、その本体部１２の本体上部２１は、円弧溝２１ａ内に収装して位置決めする電線の被覆のみに、可動部１３の主刃３４と補助刃３５が切り込んでそれ以上に上昇することを制限するストッパ溝２５を有しており、主刃３４と補助刃３５が電線の被覆に切り込み過ぎて導通線を傷つけてしまうことがないようになっている。すなわち、主刃３４が第３切断刃を構成する一方、補助刃３５が第１、第２切断刃を構成している。
【００３１】
一方、本体部１２は、本体上部２１の円弧溝２１ａの反対側（本体側部２３の背面側）に回動レバー１５が立設されており、この回動レバー１５の先端側には、調整機構１４の縦ハンドル４３と同様に、絶縁操作棒２００先端のフック２１０を差込・係合可能に係合リング１５ａが固設されている。
【００３２】
したがって、電線被覆剥取器１０は、電線を本体部１２の本体上部２１の円弧溝２１ａ内に収装して引っ掛けた状態で位置決めした後に、可動部１３を本体上部２１に接近させる方向に上昇させると、可動部１３の側面板３２の端辺３２ａ間の収装溝３２ｂ内に電線を収装することができる。このとき、可動部１３は、電線の被覆に主刃３４と補助刃３５を切り込ませるとともに、側面板３２の端辺３２ａをストッパ溝２５の底面（天井）２５ａに突き当てて主刃３４と補助刃３５が電線の被覆のみに切り込む位置で衝止させる。
【００３３】
この後に、電線被覆剥取器１０は、回動レバー１５の係合リング１５ａに、フック２１０の鍵の手部２１１を引っ掛けて下方に牽引したり、そのフック２１０の横棒部２１２を挿し込んで上昇させるなどすることにより、本体上部２１の円弧溝２１ａに位置決めされている電線の被覆に可動部１３の主刃３４と補助刃３５を切り込ませた状態のまま、導通線を傷つけることなく、その電線の周囲を周回させることができ、その導通線周りの被覆を剥ぐことができる。
【００３４】
そして、本実施形態の補助刃３５は、図３および図４に示すように、ベース部材３１と側面板３２との間で刃先３５ａを本体側部２３に向かって近接・離隔させる方向にスライド自在に設置されており、ベース部材３１側に段差部（支持構造）３１ａが形成されてそのスライド方向に移動する補助刃３５の下辺３５ｂを支持するようになっている。また、補助刃３５の側面には、側面板３２側に突出するピン５１が固設されている。これに対して、その側面板３２には、ベース部材３１の段差部３１ａに支持されつつスライドする補助刃３５を、電線の被覆に刃先３５ａを切り込ませる稼働位置（切断位置）Ｐ１までそのピン５１が本体側部２３に向かう方向に前進することを許容して位置決めするとともに、反対に、電線の被覆に刃先３５ａを切り込ませない退避位置Ｐ２までそのピン５１が本体側部２３から離隔する方向に後退することを許容して位置決めする案内穴（移動経路）５２が形成されている。この側面板３２の案内穴５２は、稼働位置Ｐ１と退避位置Ｐ２との間がベース部材３１の段差部３１ａから離隔する方向、言い換えると、上方に湾曲しており、また、その側面板３２のベース部材３１側には補助刃３５の上辺３５ｃを下方に、言い換えると、ベース部材３１の段差部３１ａに押さえる方向に付勢する板バネ５３の一旦部が固設されている。
【００３５】
これにより、補助刃３５は、ピン５１が側面板３２の案内穴５２内を案内されて稼働位置Ｐ１と退避位置Ｐ２との間を往復する方向にスライドすることができ、また、この往復移動する際には上方に移動することを板バネ５３で制限して稼働位置Ｐ１または退避位置Ｐ２のいずれか一方側に付勢することができ、ベース部材３１の段差部３１ａで支持されつつ位置決めされるように案内される。また、この補助刃３５は、稼働位置Ｐ１の刃先３５ａが電線被覆に切り込む際の負荷は後退方向からその段差部３１ａに押し付けられる方向に作用するだけであるので位置ずれしてしまうこともない。すなわち、ベース部材３１の段差部３１ａ、案内穴５２、板バネ５３が保持構造を構成している。
【００３６】
また、補助刃３５は、ピン５１の先端部に移動三角駒５５が固設されているとともに、側面板３２外面の案内穴５２の本体側部２３側に隣接する位置には、固定三角駒５６が固設されており、この移動三角駒５５と固定三角駒５６は、下方ほど離隔する斜面５５ａ、５６ａ（図５を参照）を有する姿勢になるように設けられている。
【００３７】
これにより、補助刃３５は、移動三角駒５５と固定三角駒５６の間に、絶縁操作棒２００の先端に取り付けた図１１に示すような先端工具６０の三角形の先端部６１を差し込んで、その斜面５５ａ、５６ａ同士を離隔させる方向の負荷を加えることにより、図５に示すように、ピン５１を側面板３２の案内穴５２内に案内させつつ稼働位置Ｐ１から退避位置Ｐ２に向かってスライドさせて位置決めすることができる。反対に、この補助刃３５は、移動三角駒５５と固定三角駒５６の互いの背面側に位置する外面５５ｂ、５６ｂをヤットコ１００の先端部１１１ａ、１１２ａで摘むことにより、ピン５１を側面板３２の案内穴５２内に案内させつつ退避位置Ｐ２から稼働位置Ｐ１に向かってスライドさせて位置決めすることができる。また、この補助刃３５は、斜面５５ａ、５６ａ間の隙間の大きさにより稼働位置Ｐ１または退避位置Ｐ２のいずれに位置するかを遠隔位置から視認することができる。すなわち、移動三角駒５５と固定三角駒５６は、受圧構造を構成しているとともに、表示手段を構成している。
【００３８】
また、可動部１３は、図６に示すように、側面板３２の外側にストッパ３６が一端側を回動軸３６ａにより回動自在に軸支されており、このストッパ３６は、固定三角駒５６から離隔する側の移動三角駒５５の外側で垂下姿勢になる一方、図７に示すように、反時計回りに回動させることによりその移動三角駒５５と固定三角駒５６の上部に当接支持させるときに、電線被覆剥取器１０の収装溝３２ｂ上部に進入して主刃３４や補助刃３５が不用意に電線の被覆に切り込まないように設けられている。
【００３９】
したがって、電線被覆剥取器１０は、ストッパ３６を収装溝３２ｂ上部に進退させて主刃３４と補助刃３５による電線の被覆の切り込みの要否を選択することができるとともに、ヤットコ１００や先端工具６０を先端に取り付けた絶縁操作棒２００を操作して遠隔位置から補助刃３５を単独で稼働位置Ｐ１または退避位置Ｐ２に移動させて位置決めすることができる。このため、既に導通線を露出している箇所の隣接位置の電線被覆を剥ぐ作業を行うために一方の補助刃３５は稼働させる必要がない場合や、いずれの位置にあるのか記憶にない（不安の）場合には、手元まで回収することなく、電線に取り付けた状態のまま電線被覆剥取器１０の移動三角駒５５と固定三角駒５６の位置を確認するだけで補助刃３５が稼働位置Ｐ１または退避位置Ｐ２のいずれに位置するか確認することができ、まだ、稼働位置Ｐ１に位置する場合にはそのまま退避位置Ｐ２に移動させることができ、反対に、その補助刃３５を退避位置Ｐ２から稼働位置Ｐ１に移動させることもできる。
【００４０】
このように本実施形態においては、電線被覆剥取器１０を電線に取り付けた状態のまま補助刃３５を稼働位置Ｐ１と退避位置Ｐ２に遠隔位置から操作して位置させることができ、手元に回収する作業を行う際に落下させる恐れをなくして、作業を継続することができる。したがって、無駄な操作を省略して作業負担を格段に軽減しつつ、信頼性高く、電線被覆の切断作業を完了することができる。
【産業上の利用可能性】
【００４１】
これまで本発明の一実施形態について説明したが、本発明は上述の実施形態に限定されず、その技術的思想の範囲内において種々異なる形態にて実施されてよいことは言うまでもない。
【符号の説明】
【００４２】
１０……電線被覆剥取器      １２……本体部      １３……可動部      １４……調整機構      １５……回動レバー      ２１……本体上部      ２１ａ……円弧溝      ３１……ベース部材      ３１ａ……段差部      ３２……側面板      ３２ｂ……収装溝      ３４……主刃      ３５……補助刃      ３５ａ……刃先      ３６……ストッパ      ４１……主軸      ４１ａ……雄ネジ山      ４２……雌ネジリング      ５１……ピン      ５２……案内穴      ５３……板バネ      ５５……移動三角駒      ５５ａ、５６ａ……斜面      ５５ｂ、５６ｂ……外面      ５６……固定三角駒      ６０……先端工具      ６１……先端部      １００……ヤットコ      １０１……把持部      １１１ａ、１１２ａ……先端部      ２００……絶縁操作棒      Ｐ１……稼働位置      Ｐ２……退避位置
【図１】
0005744550.tif 000002
【図２】
0005744550.tif 000003
【図３】
0005744550.tif 000004
【図４】
0005744550.tif 000005
【図５】
0005744550.tif 000006
【図６】
0005744550.tif 000007
【図７】
0005744550.tif 000008
【図８】
0005744550.tif 000009
【図９】
0005744550.tif 000010
【図１０】
0005744550.tif 000011
【図１１】
0005744550.tif 000012